(57)【要約】【課題】構造が簡単であってメンテナンスが楽である、空気を改質するための装置を提供する。【解決手段】水を改質するための空気改質装置であって、内部が外部の雰囲気と遮断されている密閉状の容器状本体、この本体の内部に改質すべき空気を導入させるために前記本体の頂部又は頂部付近から前記本体の内部にわたって設けられた空気導入管、及びこの導水管を通って前記本体の内部に流入した空気を前記本体の外部に排出させるために前記頂部又は頂部付近に設けられた排気口を具え、そして前記導入管の先端が前記頂部又は頂部付近に対向する前記本体の底部壁面に接するか、又はその底部壁面に近い位置に達するまで前記導入管が前記頂部又は頂部付近から前記底部壁面に向かって延びており、しかも、前記底部壁面の上には粒状乃至塊状又はリボン状の固形物が前記導入管の外側を囲んで前記本体内に充填されていることを特徴とする、前記空気改質装置。【選択図】図１
2008161611.tif 000002
【特許請求の範囲】
【請求項１】
空気を改質させるための空気改質装置であって、内部が外部の雰囲気と遮断されている密閉状の容器状本体、この本体の内部に改質すべき空気を導入させるために前記本体の頂部又は頂部付近から前記本体の内部にわたって設けられた空気導入管、及びこの導入管を通って前記本体の内部に流入した空気を前記本体の外部に排出させるために前記頂部又は頂部付近に設けられた排気口を具え、そして前記導入管の先端が前記頂部又は頂部付近に対向する前記本体の底部壁面に接するか、又はその底部壁面に近い位置に達するまで前記導入管が前記頂部又は頂部付近から前記底部壁面に向かって延びており、しかも、前記底部壁面の上には粒状乃至塊状又はリボン状の固形物が前記導入管の外側を囲んで前記本体内に充填されていることを特徴とする、前記空気改質装置。
【請求項２】
前記容器状本体の内部から外部に前記固形物が逸出するのを防ぐために、この固形物を押さえる通気性部材が前記排出口を塞ぐように、あるいは前記固形物の上を覆って、前記容器状本体の内部に設けられている、請求項１記載の空気改質装置。
【請求項３】
前記固形物がセラミックス、天然もしくは人工の鉱物もしくは岩石、金属、又は炭化物である、請求項１又は２に記載された空気改質装置。
【請求項４】
請求項１乃至３に記載された空気改質装置を用いて空気を改質する方法。
【請求項５】
請求項１乃至３に記載された複数個の空気改質装置にそれぞれ別個に設けられた排気口と空気導入管とを接続することによって、空気の流れがこれらの複数個の空気改質装置の全てを通って一連の流れの状態で流れるように、前記複数個の空気改質装置を直列に配置して用いる、請求項４記載の方法。
【請求項６】
請求項４又は５に記載された方法によって改質された空気を室内空気の清浄化に又は室内の脱臭用空気として用いる方法。
【請求項７】
請求項４又は５に記載された方法によって改質された空気を鼠又はゴキブリを忌避させるための空気として用いる方法。
【請求項８】
請求項４又は５に記載された方法によって改質された空気を、水の中でアオコが発生するのを防止するための空気として用いる方法。
【発明の詳細な説明】
【技術分野】
【０００１】  本発明は、空気を改質するための空気改質装置、該空気改質装置を用いて空気を改質する方法、及び該方法によって改質された空気の使用に関するものである。
【背景技術】
【０００２】  近年、産業の発達や消費の拡大によって大気の汚染は益々顕著になる傾向にあり、それに伴って健康上にも生活上にも様々な問題が現れている。【０００３】  このような問題に対して、例えば、室内空気を清浄に保つために種々の空気清浄機が利用されるようになってきているが、その空気清浄機は構造が複雑であったり、そのため面倒な製造工程を必要としたり、あるいはフィルターを屡々取り替えたり、あるいは更に空気清浄機の内部を定期的に掃除しなければならないという問題があった。
【発明の開示】
【発明が解決しようとする課題】
【０００４】  そこで、本発明は、上記のような従来の空気清浄機によらないで、上記のような問題を生じない装置を提供することを課題としている。
【課題を解決するための手段】
【０００５】本発明者は、上記の課題を解決することを目的として種々研究を進めた結果、
内部が外部の雰囲気と遮断されている密閉状の容器状本体の頂部又は頂部付近から前記本体の内部にわたって空気を導入させるための空気導入管を設け、この空気導入管を通して前記本体の内部に空気を流入させてこの流入した空気を前記の頂部又は頂部付近に設けた排気口から外部に排出させ、そして前記空気導入管の先端が前記頂部又は頂部付近に対向する前記本体の底部壁面に接するか、又はその底部壁面に近い位置に達するまで前記導入管を前記頂部又は頂部付近から前記底部に向かって設けるとともに、前記導入管の外側を囲むように粒状乃至塊状又はリボン状の固形物を前記底部壁面の上に充填すると、前記の排気口から排出される空気は改質される結果、その空気を室内に放出すると、その室内の空気は清浄化されて花粉症のような空気の汚染に由来する症状もしくは室内に発生する臭気が軽減もしくは除去されたり、又はこの室内もしくは室内付近に出没する鼠やゴキブリのような望ましくない動物又は虫が忌避されたり、更に、この改質された空気を水の中に放出すれば、その水の中でアオコが発生するのを防止できること、
を見出した。【０００６】  本発明は、このような知見に基づいて発明されたもので、
１．空気を改質させるための空気改質装置であって、内部が外部の雰囲気と遮断されている密閉状の容器状本体、この本体の内部に改質すべき空気を導入するために前記本体の頂部又は頂部付近から前記本体の内部にわたって設けられた空気導入管、及びこの導入管を通って前記本体の内部に流入した空気を前記本体の外部に排出させるために前記頂部又は頂部付近に設けられた排気口を具え、そして前記導入管の先端が前記頂部又は頂部付近に対向する前記本体の底部壁面に接するか、又はその底部壁面に近い位置に達するまで前記導入管が前記頂部又は頂部付近から前記底部に向かって延びており、しかも、前記底部壁面の上には粒状乃至塊状又はリボン状の固形物が前記導入管の外側を囲んで前記本体内に充填されていることを特徴とする、前記空気改質装置、
２．上記１に記載された水改質装置を用いて空気を改質する方法、
３．上記２の方法によって改質された空気を室内の脱臭用空気として用いる方法、
４．上記２の方法によって改質された空気を鼠又はゴキブリを忌避させるための空気として用いる方法、及び
５．上記２の方法によって改質された空気を、水の中でアオコが発生するのを防止するための空気として用いる方法、
に係わるものである。
【発明の効果】
【０００７】  本発明の空気改質装置によれば、空気分子のクラスター（集合体）が細かくなって、活性が増大した空気が得られるので、この改質された空気を室内に放出した場合には、その室内空気の臭気が除去され、また、この改質された空気を室内に放出すれば、その室内の空気が清浄化されて花粉症のような空気の汚染に由来する症状もしくは室内に発生する臭気が軽減もしくは除去されたり、又はこの室内もしくは室内付近に出没する鼠やゴキブリのような望ましくない動物又は虫を遠くへ追いやることができ、更に、この改質された空気を水の中に放出すれば、その水の中でアオコが発生するのを防止することができる。
更に、本発明の空気改質装置は簡単な構造で構成されている上に、フィルターを用いていないので、フィルターの交換や、内部の面倒な清掃を必要とすることがなく、メンテナンスが楽になるという利点を有する。
【発明を実施するための最良の形態】
【０００８】  本発明による空気改質装置の一例を縦断側面図で示すと、図１の通りである。
図１において、１０は空気改質装置を示していて、１は、内部が外部の雰囲気と遮断されている密閉状の容器状本体であって、その容器状本体１の頂部壁体２には、改質すべき空気をこの容器状本体１の内部に導入するための空気導入管３がこの頂部壁体２を貫いて設けられており、その導入管３の先端は容器状本体１の底部壁面４ａに近い位置に達するまで容器状本体１の底部壁体４に向かって延びている。【０００９】  前記壁体２を貫いている前記導入管３の位置に近い位置で頂部壁体２に排気口５が設けられ、そして、前記底部壁面４ａの上には、粒状乃至塊状又はリボン状の固形物６が前記導入管３の外側を囲んで充填されている。前記固形物６を押さえて、この固形物６が前記容器状本体１の内部から外部へ逸出するのを防ぐために通気性部材７が前記排気口を塞ぐように前記容器状本体１の内部に設けられている。【００１０】  通気性部材７はまた、前記固形物６の上に設けてもよく、この通気性部材７は、例えば、金属製のリボン又は網であってよい。しかし、この通気性部材７は本発明の空気改質装置にとって必ずしも必須でなく、必要に応じて設けられる。前記の固形物６が、例えば、リボン状の固形物である場合には、この固形物は通気性部材としても機能することができる。【００１１】  前記の容器状本体及び導入管はプラスチックス又はステンレス鋼のような金属等の適宜の材料によって構成させることができ、粒状乃至塊状の固形物としては、例えばセラミック、天然もしくは人工の鉱物質材料もしくは岩石、例えば、粒状乃至塊状の砂利、珊瑚、真珠又は金属又は木炭のような炭化物が好ましく用いられ、また、リボン状の固形物としては、例えば、市販の金属束子が好ましく用いられ、これらのものは２種以上組み合わせて用いてもよい。この固形物が粒状乃至塊状である場合には、例えば、最大寸法及び最小寸法の平均値が５ｍｍ〜３ｃｍ程度の間に入るような寸法で用いられる。また、リボン状である場合には、例えば、幅２〜１２ｍｍ、長さ３０〜８０ｍｍ、そして厚さ０．０５〜０．５ｍｍのような寸法で用いられる。【００１２】  この固形物が前記の排気口から出て容器状本体の外へ逸出するのを防ぐために使われる通気性部材としては、例えば、リボン状の金属片、例えばステンレス鋼製の細長いリボンが丸められたもの、又は金網が用いられる。【００１３】  本発明の空気改質装置においては、容器状本体の中に挿入されている前記空気導入管の先端の位置と前記排気口の位置との間の間隔が大きいほど、外部から容器状本体内に空気を導入した場合の容器状本体内部の空気圧が増大して空気の改質が一層進む結果、この空気改質装置が空気を改質する能力は益々高まり、また、容器状本体の中に充填された前記の固形物はこの改質能力を一層向上させるのに役立つ。【００１４】  それで、本発明の空気改質装置では、図１で示されるように、空気導入管の先端が容器状本体の底部付近の位置にあるのに対し、排気口はこの容器状本体の頂部に位置していて、導入管の先端と排気口との間の間隔がなるべく大きくなるように、導入管と排気口とが設けられており、また、空気導入管の先端は前記の底部壁面に接する位置まで延びていてもよい。このように空気導入管１３の先端が、図２の一部拡大断面図で示されるように、容器状本体１１における底部壁体１４の壁面１４ａに接している場合には、その先端部分に適当数の空気放出孔８を設けて導入管１３からの空気の放出が容易になるようにしてもよい。【００１５】  また、本発明の空気改質装置において、これに導入される空気が改質されるためには、その装置の内部、すなわち、密閉された容器状本体の内部の圧力が常圧よりも高められる必要があり、そのためには、一般に、排気口の口径（内径）は空気導入管の口径（内径）よりも小さくなければならない。したがって、空気導入管の内径と排気口の内径との比は一般に１；０．２〜０．９５の範囲にあり、好ましくは１；０．３〜０．７５の範囲にある。【００１６】  前記の図１で示されるような本発明の空気改質装置は、この図１で示されるように置いて使用してもよいし、あるいは図１で示される状態とは逆にして、すなわち、例えば後述の図３に示されるように、排気口が下に、そして底部が上になるように置いて使用しても、あるいは更に、このような垂直状態の代わりに、容器状本体を斜め又は水平に置いて使用してもよい。【００１７】  本発明の空気改質装置は、また、図３に示されるように、一方の空気改質装置２０の排気口２５を他方の空気改質装置３０の空気導入管３３に接続することによって、この２つの空気改質装置２０と３０とを一体に結合した状態とし、そして、この一方の空気改質装置２０の空気導入管２３から空気改質装置２０の排気口２５、空気改質装置３０の空気導入管３３及び空気改質装置３０の排気口３５を経て空気が一連の流れの状態で流れるように、２個の空気改質装置を直列に接続して使ってもよく、また、３個以上の空気改質装置を同様に直列に接続して使ってもよい。このように空気を改質する場合に、複数個の空気改質装置を直列に接続してこれらを一つの空気改質装置として使用すれば、一般にそれの改質能力は単一の空気改質装置を用いる場合よりも向上して活性の高い空気を得ることができる。【００１８】  本発明の空気改質装置の空気導入管から容器状本体の中に空気を導入するには、例えば、エアポンプ又はコンプレッサのような空気導入管内を通して空気を送り込むような装置が使用され、この空気改質装置の機械的な強度や容量が許す限り、その空気の流れが速いほど、空気の改質効果は向上するけれども、その改質空気の用途に応じて、空気の流速は適宜選択される。一般に、常温で１０〜４０リットル／分程度の流速を使用すれば、所望の効果が得られる。
【実施例】
【００１９】  ついで、実施例を参照して本発明を説明するが、本発明は勿論この実施例によって限定されない。
実施例１【００２０】  直径１８ｃｍ×高さ３０ｃｍのプラスチック製の円筒状容器の中に、内径２．５ｃｍの空気導入管の先端部が、この円筒状容器の底部壁面から１ｃｍ離れた位置にあるように、前記円筒状容器の頂部壁体から円筒状容器の内部に空気導入管を挿入するとともに、改質された空気を排出するための内径１．０ｃｍの大きさの排気口を前記壁体における前記導入管に対称的な位置に対向する、前記円筒状容器の頂部に設け、そして平均粒度２〜３ｍｍの粒状の砂利が円筒状容器の内部をほぼ埋め尽くすように、この砂利を円筒状容器の中に充填し、更に、前記排気口を塞ぐように、円筒状容器の内部にステンレス鋼製の細長いリボンを丸めたもの（市販の金属束子）を設けることによって、前記の図１に示されるような空気改質装置を製造した。【００２１】  この空気改質装置を使って空気を改質するには、前記の空気導入管の基部（先端部の反対側の後端部）をエアポンプの排気側に接続した。
実施例２【００２２】  寝たきりの高齢者をまとめて収容している病棟でオシメ等から発する病人の不快な臭いが強く立ち込めている部屋の中に、実施例１の空気改質装置から排出する空気を放出させたところ、約２４時間後にはその臭いが弱くなり始め、約４８時間後にはその臭いが殆ど気にならない程度に除かれていた。
実施例３【００２３】  実施例１の空気改質装置において、砂利の代わりに、平均粒度６〜７ｍｍの粒状の備長炭を充填させた空気改質装置を用いて、次の実験を実施した。
部屋の天井裏で屡々鼠の鳴き声が聞こえるその部屋の中に上記の空気改質装置から排出される空気を放出させたところ、１週間で鼠の鳴き声は小さくなり、１か月後には鼠の気配が全く感じられなくなった。
また、ゴキブリが盛んに出没している部屋の中に、上記の改質させた空気を放出させたところ、４日後にはその部屋の中でゴキブリの這い回る姿が減り始め、２週間後には、部屋の中でゴキブリを見ることは殆ど無くなった。
実施例４【００２４】  金魚を飼うための水槽に、実施例３のような空気改質装置を用いて改質させた空気を供給しながら金魚を飼ったところ、９か月経っても水槽の水は最初の頃と全く変わらない透明度を保っったが、改質させてない空気を供給しながら金魚を飼った場合には１週間で水が濁り始め、３週間後にはかなりの量のアオコが水槽の水で汚れるようになった。
実施例５【００２５】  甚だしい症状の花粉症に悩まされている患者がいる部屋の中に、実施例１のような空気改質装置で改質させた空気を放出したところ、その放出から１時間後には、花粉症の症状が幾分軽くなり始め、４時間後には、その症状がかなり緩和された。
【産業上の利用可能性】
【００２６】  以上述べたことから明らかなように、本発明による空気改質装置は空気の質を変えて、その空気を清浄化するので、このように改質された空気を部屋の中に放出すると、その部屋の空気中に含まれる臭気を除去し、その部屋又はその部屋の近くの天井裏等に住み着く鼠やゴキブリのような日の当たらない淀んだ空気の中を好む動物や虫を忌避させ、また、汚染された空気に由来する花粉症のような症状を軽減させたり、あるいはまた、この改質空気を水中に導入すれば、魚のような水生動物を飼育したり、あるいは水草のような水生植物を育てるための水槽でアオコが発生するのを防止するので、広範囲の分野において有利に利用することができる。
【図面の簡単な説明】
【００２７】
【図１】  本発明による空気改質装置の一例を示す縦断側面図である。
【図２】  本発明による別の空気改質装置の一部を拡大して示す縦断側面図である。
【図３】  本発明による２個の空気改質装置を直列に連結して用いる状態を示す縦断側面図である。
【符号の説明】
【００２８】    １０，２０，３０                ・・・・・空気改質装置
１，１１                        ・・・・・容器状本体
２                              ・・・・・頂部壁体
３，１３，２３，３３            ・・・・・空気導入管
４，１４                        ・・・・・底部壁体
４ａ，１４ａ                    ・・・・・底部壁面
５，２５，３５                  ・・・・・排気口
６                              ・・・・・固形物
７                              ・・・・・通気性部材
８                              ・・・・・空気放出孔
【図１】
2008161611.tif 000003
【図２】
2008161611.tif 000004
【図３】
2008161611.tif 000005